(57)【要約】      （修正有）【課題】館内の空気を短時間で確実に換気することができ、しかも館内を芳香で満たすことにより、心地よい空間を形成することができる換気システムを提供する。【解決手段】高所に設置される送風装置１と、送風装置の送風方向の壁面に設置される換気装置２とからなり、送風装置１で館内の空気を換気装置２側に送りつつ、館内の空気を大規模に循環させて換気を行う。また、前記送風装置１に芳香発生装置３を備えて、送風時に芳香成分を送風する。【選択図】図１
2011007456.tif 000002
【特許請求の範囲】
【請求項１】
高所に設置される送風装置（１）と、送風装置（１）の送風方向の壁面に設置される換気装置（２）とからなり、館内（２１）の空気を大規模に循環させて換気を行うことを特徴とする館内換気システム。
【請求項２】
前記送風装置（１）は芳香発生装置（３）を備え、送風時に芳香成分を送風することを特徴とする請求項１記載の館内換気システム。
【請求項３】
前記送風装置（１）、換気装置（２）および芳香発生装置（３）を制御する制御装置を備えたことを特徴とする請求項２記載の館内換気システム。
【請求項４】
前記制御装置は、館内（２１）の空気が汚れた時点で送風装置（１）から強風が吹出すと同時に換気装置（２）が動き出し、その後館内（２１）の空気が清浄化された時点で送風装置（１）から吹出す風速が弱風に切り替わると同時に換気装置（２）が停止して芳香発生装置が作動し、その後送風装置（１）の弱風をうけて芳香成分が館内（２１）に充満する時を見計らって送風装置（１）及び芳香発生装置（３）が停止する制御手順を繰り返す制御を行うことを特徴とする請求項３記載の館内換気システム。
【発明の詳細な説明】
【技術分野】
【０００１】
本発明は、館内の換気システムに関するものである。
【背景技術】
【０００２】
人々の健康への関心の高まりや健康増進法の施行により、職場、飲食店または公共施設等、多数の人が集まる場所では、喫煙対策が普及してきている。
【０００３】
このような対策としては、例えば、喫煙者と非喫煙者の座席を分離したり、壁等により物理的に外部から隔離した部屋に空気清浄機や換気装置を備えた喫煙ルームを設けたりしている。前者についてはそれぞれの区域が物理的に分離していないため、煙や有害物質が流れてきて、これら煙等を吸い込無といった問題や、煙等が髪や衣服に付着するという問題がある。後者については、非喫煙者に対しては完全に分煙化される点では有効である。
【０００４】
ところで、パチンコ等の遊技場においては、タバコの煙が館内に蔓延している場合が多く、多数の遊戯者より館内の空気の浄化が求められていた。そこで、遊技場においても喫煙対策が行われるようになってきている。
喫煙対策を行う遊技場の多くは、喫煙者と非喫煙者の座席を分ける対策を採用している。しかし、上記のように実質的な分煙効果は得られず、効果的な対策ではない。また、最近では、遊戯台と遊戯台の間に設置する薄型の空気清浄機が用いられるようになってきている。しかしながら、浄化効果は不十分で、しかも、遊戯者の身体が冷えてしまうという問題もある。
一方、島設備等の遊戯スペースを壁等により物理的に覆うことは、遊技場の構造上、困難である。また、別途喫煙ルームを設けたとしても、喫煙者にとっては遊戯台と喫煙ルームを行き来することとなるので非常に面倒である。
【０００５】
以上のように、現段階では、遊技場において遊戯者が不自由なく遊戯しつつも、館内の空気を効果的に換気または浄化するものや方法がない。
【発明の概要】
【発明が解決しようとする課題】
【０００６】
そこで、本発明は上記課題を解決するためになされたものであり、館内の空気を短時間で確実に換気することができ、しかも館内を芳香で満たすことにより、心地よい空間を形成することができる換気システムを提供することを目的とする。
【課題を解決するための手段】
【０００７】
上記課題を解決するための手段として、請求項１記載の館内換気システムは、高所に設置される送風装置と、送風装置の送風方向の壁面に設置される換気装置とからなり、館内の空気を大規模に循環させて換気を行うことを特徴とする。
これによると、送風装置で館内の空気を換気装置側に送りつつ、館内の空気を大規模に循環させ、換気装置により館内の空気を排気する。
【０００８】
また、前記送風装置に芳香発生装置を備えて、送風時に芳香成分を送風するようにすることもできる。
ここで、芳香成分とは、アロマテラピーで使用される芳香成分（以下、アロマ成分とする）や香水に使用される香料等を意味する。
【０００９】
さらに、前記送風装置、換気装置および芳香発生装置に制御装置を備え付け、これらを制御することもできる。これにより、各装置に与える命令をオートメーション化することができ、各装置を複数台用いる場合には、各装置を同期させて制御することも可能となる。
【００１０】
また、前記制御装置は、館内の空気が汚れた時点で送風装置から強風が吹出すと同時に換気装置が動き出し、その後館内の空気が清浄化された時点で送風装置から吹出す風速が弱風に切り替わると同時に換気装置が停止して芳香発生装置が作動し、その後送風装置の弱風をうけて芳香成分が館内に充満する時を見計らって送風装置及び芳香発生装置が停止する制御手順を繰り返す制御を行うことができる。
【発明の効果】
【００１１】
本発明によると、館内の空気を大規模に循環させつつ汚れた空気を効率よく館外に排気するので、館内の空気を短時間で確実に換気することができる。しかも、館内にパチンコ台の島設備が設置されていたり、パーティションで区切られていたりするなど、空気の流れを遮蔽するものが館内にある場合であっても、遮蔽領域内の空気も循環させて確実に換気することができる。
【００１２】
また、送風装置の送風と共に芳香成分を送風し、館内の隅々まで芳香成分を行渡らせ、館内を芳香成分で満たすことができる。そのため、髪や衣服に付着する異臭が軽減されると共に芳香が付着するので、髪や衣服等に付いた臭いが気にならない。
また、芳香成分がアロマ成分の場合には、アロマ成分の香りにより館内は心地よい空間となり、人々の心を穏やかにし、ストレスを開放させる等、人々に精神的な効能を提供することができる。
【００１３】
さらに、制御装置により各装置を制御して換気システムのオートメーション化を図ることにより、管理システムを管理する労力が軽減され、また、適切な運動時間や送風量等を設定することにより効率よく換気や芳香成分の送風を行うことができ、使用電力料等のコストを抑えることができる。
【図面の簡単な説明】
【００１４】
【図１】本発明に係る換気システムの実施形態を示す斜視図。
【図２】送風装置（送風口側）およびアロマ発生装置を示す斜視図（１）。
【図３】送風装置（吸気口側）およびアロマ発生装置を示す斜視図（２）。
【図４】送風装置およびアロマ発生装置を示す側面図。
【図５】換気システムの制御フロー図。
【図６】上方から見た館内の平面的な空気の流れを示す模式図。
【図７】側方から見た館内の鉛直方向の空気の流れを示す模式図。
【図８】観測した浮遊粉塵質量濃度を示すグラフ。
【発明を実施するための形態】
【００１５】
以下、本発明に係る換気システムの実施形態について、図面を用いて説明する。ここでは、規模の大きい建物であって、タバコの煙等により館内２１の空気が汚れやすく、換気の必要性の高いパチンコ等の遊技場の館内２１への本システムの適用に基づいて説明を行う。図１は、本発明に係る換気システムの実施形態を示す斜視図である。本発明に係る換気システムは、大きくは送風装置１、換気装置２、アロマ発生装置３および制御装置（図示略）により構成されている。
【００１６】
まず、換気システムの構成のうち、送風装置１は、遠心ファン、軸流ファンおよび斜流ファン等、様々な種類のものを適用することができる。中でも遠心ファンに分類される多翼型ファンは、小型・軽量であるため使い勝手がよい。風量については、館内２１が広い場合には、強風を送風できる高速回転型の送風装置１を用いるなど、館内２１の大きさに応じて館内２１の壁から対面する壁まで風が伝わる程度の風量を送風できる送風装置１を用いる。また、風量を多段階に設定できるものを用いると、消費電力を抑えたりすることができ、しかも後述のアロマ発生装置３を組み合わせて効果的な送風を行うことができる。さらに、ルーバー７（図４参照）等の風向制御機能を備えていれば、館内２１の空気の流れを調整することができる。
【００１７】
送風装置１の設置については、後述する換気装置２が取り付けられた壁面に対向するように設置する。そのため、遊技場では、島設備４の上に直接、または島設備４の上に設置台を備えて設置するとよい。また、送風装置１を天井等から吊り下げたり、壁面に取付けたりしてもよい。
また、館内２１が広い場合には、複数の送風装置１を使用する。そして、一の壁に換気装置２が複数台取付けられている場合には、各送風装置１を換気装置２に対向するように設置する。遊技場であれば、適度な間隔をあけて各送風装置１を島設備４上等に並べて設置する。
一方、複数の壁に換気装置２が取り付けてある場合には、それぞれの換気装置２に対向する形で送風装置１を設置すればよい。
【００１８】
次に、換気装置２については、壁に設置するタイプのものとし、これも遠心ファンや軸流ファン等、様々な種類のものを適用することができる。また、換気装置２は、送風装置１と同様に、館内２１の広さに応じて好適な風量を送風できる装置であって、風量を多段階に設定できる装置がよい。なお、フィルターまたは屋外の天然風の影響により、換気装置２の風量が大きく減少してしまう場合は、有圧型の換気装置２が有効である。
換気装置２の設置は、送風装置１の送風方向側の壁に設置する。その設置高さは送風装置１の設置高さと同じ程度であることが望ましい。また、館内２１が広い場合には、複数の換気装置２を一または複数の壁に設置するとよい。
なお、館内２１の広さまたは上記の送風装置１および換気装置２のスペックや設置台数によっては、館内２１の気圧が低下し、様々な障害が生ずる可能性がある。この場合には、館内２１に吸気手段を設ける等、館内２１に空気を取り込む何らかの対策を施す必要がある。
【００１９】
アロマ発生装置３については、アロマディフューザー、アロマ加湿器または電気型のアロマポッド等を使用する。ここで、アロマディフューザー及びアロマ加湿器は、アロマ成分を拡散させる性能が高く、広い館内に使用するのに適している。また、アロマ発生装置３が成分噴出量の設定手段を有していれば、好適な量のアロマ成分を放出させることができる。アロマ成分については、特に限定されるものではなく、好適なものを用いることができる。なお、アロマ発生装置３の代わりに、香料を発生させる装置を使用してもよい。
アロマ発生装置３は、図２または図３に示すように、送風装置１の送風口の送風口５前面または吸気口６前面に備え付ける。このようにすることで、発生したアロマ成分が送風され、又は吸気口６より取り込まれて送風されるので、アロマ発生装置３より離れた地点にまでアロマ成分を送ることができる。なお、アロマ成分を吸気口６より取り込む場合、送風装置１としては、その後面もしくは側面に吸気口を有するものが望ましい。
また図４に示すように、開口を備えた収容体８内にアロマ発生装置３と送風装置１を収容することもできる。送風装置１は、収容体８の開口に送風口５を向ける形に設置する。このようにすると、一旦、収容体８内にアロマ成分を充満させた状態にしてから送風を行うことができ、この場合、館内２１にアロマ成分を短時間で強力に送風・拡散させることができる。
【００２０】
以上に説明した送風装置１、換気装置２およびアロマ発生装置３は、インバーター等の制御装置により制御することができる。さらに、各装置間の同期制御、または制御端末による一括制御を行うことができる。
【００２１】
次に、本発明に係る換気システムの使用について、各装置が同期制御および一括制御される場合に基づいて説明を行う。図５は換気システムの制御フローを表す。
まず、館内２１の空気が汚れている場合や空気を換気する場合に、換気システムの制御を開始する。
そして、第一工程として、送風装置１および換気装置２を作動させ、送風および換気を行う。この際、各装置の風量は、好適に決定することができるが、風量を強風にすると、短時間で換気を行うことができ、しかも確実に館内の空気をきれいにすることができる。
次いで、第一工程を所定時間（例えば３０分）行った後、第二工程として、換気装置２の運転を停止し、送風装置１の風量を弱風とし、さらにアロマ発生装置３を作動させる。これにより、アロマ成分を風に乗せ、館内にアロマ成分を行き渡らせることができる。
最後に、第二工程を所定時間（例えば３０分）行った後、送風装置１およびアロマ発生装置３を停止させる。
必要があれば、所定の時間ごとに上記一連の換気システムの制御を繰り返し行う。その必要がない場合は、換気システムを停止する。
なお、各装置のイベントは、同時に行う必要はなく、時間をずらして行ってもよい。また、制御装置によらず、手動で行ってもよく、また各装置がタイマーを備えている場合にはタイマー等を利用して上記工程を行ってもよい。
【００２２】
第一工程の送風および換気の状況を、図６および図７に示す。送風装置１による送風により、汚れた空気等が換気装置２前面に運ばれ、換気装置２により屋外に排出される。また、館内２１には、送風および換気により、平面的な空気の循環流が形成され、換気装置２前面に運ばれても換気されなかった空気は再度換気装置２前面に運ばれ、いずれ屋外に排出される（図６参照）。また、送風装置１と換気装置２の間に、島設備４等が設置されていても、鉛直方向に循環するキャビティ流れが生じ、送風装置１の設置位置より下方の空気も上方に巻き上げられ、送風装置１の送風に乗せられて換気装置２前面に運ばれていくこととなる。
以上のように、本発明に係る換気システムによれば、パチンコ等の遊技場のように島設備４が多数設置され換気が難しい館内２１であっても、確実に館内２１の空気を換気することができる。
【００２３】
また、第二工程では、換気装置２を停止させてアロマ発生装置３を作動し、発生したアロマ成分を送風装置１で送風することにより、アロマ成分が館内の隅々まで行き渡る。その芳香により館内２１は、異臭が軽減されると共に心地よい空間となり、遊戯者のストレスを解消し、精神を安定させることができる。
【００２４】
本発明に係る換気システムの効果について検討するため、パチンコ遊技場に本換気システムを設置し、上記第一工程を複数回行い、その工程の前後で、空気中に浮遊する粉塵を計測した。
送風装置１および換気装置２は、それぞれ４台使用した。送風装置１は、島設備４上に乗せた架台に設置し、適当な間隔をもって島設備４上に配置してある。換気装置２は、送風側の壁おいて送風装置１と同等の高さに取付けている。
計測は実際の営業時間内に行っており、館内２１の空気が汚れた状態で空気中の粉塵の計測を行い、そこから本換気システムを作動させ、第一工程を約３０分程度行った後、再度、空気中の粉塵の計測を行った。粉塵の計測には光散乱式のデジタル粉塵計を使用した。なお、参考のため、館内２１の空気がほぼ清浄となっている開店前についても、空気中の粉塵の計測を行っている。
本換気システム使用前後に計測された館内の浮遊粉塵質量濃度を図８に示す。また、開店前に計測したものについても併せて示してある。これによると、本換気システムを使用する前の浮遊粉塵質量濃度は、約０．７４〜０．８５ｍｇ／ｍ３であるのに対して、本換気システムを使用した後の浮遊粉塵質量濃度は、約０．３３〜０．３５ｍｇ／ｍ３程度まで大幅に低下し、開店前の値に近くなっている。このように、本換気システムを使用することにより、館内２１の空気が大幅に改善されることが確認できた。なお、換気システムの使用後の浮遊粉塵質量濃度は、開店前の値に比べ、やや高くなっているが、営業時間内の計測であり、常時タバコの煙やほこり等が舞い上がる状況にあるからであると考えられる。
【００２５】
以上に、本発明に係る換気システムの実施形態について説明した。なお、本発明は上述した実施の形態のみに限定されるものではなく、本発明の要旨を逸脱しない範囲において種々の変更が可能である。また、その適用場所については、パチンコ遊技場に限らず、様々な館内２１で適用することができる。
【符号の説明】
【００２６】
１    送風装置
２    換気装置
３    アロマ発生装置（芳香発生装置）
４    島設備
５    送風口
６    吸気口
７    ルーバー
８    収容体
【図１】
2011007456.tif 000003
【図２】
2011007456.tif 000004
【図３】
2011007456.tif 000005
【図４】
2011007456.tif 000006
【図５】
2011007456.tif 000007
【図６】
2011007456.tif 000008
【図７】
2011007456.tif 000009
【図８】
2011007456.tif 000010